(57)【要約】【課題】スライドスイッチ機構の設定状態を明確に把握することができ、使用感を損なうことがない携帯電子機器を提供する。【解決手段】  筐体と、筐体に収容された基板部と、基部と基部にスライド自在に支持された被操作部３２と基板部に接続されたスライドスイッチ１２とスライドスイッチ１２に係合すると共に被操作部３２に連動してスライドする係合部３４と基部に形成されてスライドスイッチ１２が切り換える設定の内容を示す複数の異なるマーク部５ｅとを有するスライドスイッチ機構３０と、を備える携帯電子機器において、マーク部５ｅの全部又は全部から一つを除いたものを透明又は肉抜きで形成すると共に、スライドスイッチ機構３０は、マーク部５ｅの全部又は全部から一つを除いたもののうち、スライドスイッチ１２の切り換えによって設定された内容を示すマーク部５ｅの背景の反射色を変化させることを特徴とする。【選択図】図４
2009176713.tif 000002
【特許請求の範囲】
【請求項１】
筐体と、
該筐体に収容された基板部と、
基部と該基部にスライド自在に支持された被操作部と前記基板部に接続されたスライドスイッチと該スライドスイッチに係合すると共に前記被操作部に連動してスライドする係合部と前記基部に形成されて前記スライドスイッチが切り換える設定の内容を示す複数の異なるマーク部とを有するスライドスイッチ機構と、を備える携帯電子機器において、
前記マーク部の全部又は全部から一つを除いたものを透明又は肉抜きで形成すると共に、
前記スライドスイッチ機構は、前記マーク部の全部又は全部から一つを除いたもののうち、前記スライドスイッチの切り換えによって設定された内容を示す前記マーク部の背景の反射色を変化させることを特徴とする携帯電子機器。
【請求項２】
前記スライドスイッチ機構は、前記マーク部に隣接するように前記筐体に配置されると共に前記被操作部と連動して前記マーク部の背景の反射色を変化させる配色部を備えることを特徴とする請求項１記載の携帯電子機器。
【請求項３】
前記スライドスイッチ機構は、前記マーク部の背景の反射色を前記基部の色に対してコントラストの高い色又は前記基部の色と異なる蛍光色に変化させることを特徴とする請求項１又は２記載の携帯電子機器。
【請求項４】
前記スライドスイッチ機構は、前記マーク部の背景の反射色を前記基部と同一色又は同系色から異なる色に変化させることを特徴とする請求項１から３のうちいずれか一項に記載の携帯電子機器。
【請求項５】
筐体と、
該筐体に収容された基板部と、
基部と該基部にスライド自在に支持された被操作部と前記基板部に接続されたスライドスイッチと該スライドスイッチに係合すると共に前記被操作部に連動してスライドする係合部と前記基部に形成されて前記スライドスイッチが切り換える設定の内容を示す複数の異なるマーク部とを有するスライドスイッチ機構と、
を備える携帯電子機器において、
前記基板部は、前記マーク部を前記筐体の内側から照光する照光部と、
前記照光部を点灯または消灯させる制御部と、を有し、
前記マーク部の全部又は全部から一つを除いたものを透明又は肉抜きで形成すると共に、
前記スライドスイッチ機構および前記制御部は、前記マーク部のうち全部または全部から一つを除いたもののうち、前記スライドスイッチの切り換え状態に基づいて、前記照光部を点灯または消灯するように制御して、前記設定された内容を示す前記マーク部の背景の透過色を変化させることを特徴とする携帯電子機器。
【請求項６】
複数の撮影モードを有するカメラユニットを備え、
前記スライドスイッチは、前記撮影モードを切り換えることを特徴とする請求項１から５のうちいずれか一項に記載の携帯電子機器。
【発明の詳細な説明】
【技術分野】
【０００１】
本発明は、携帯電子機器に関するものである。
【背景技術】
【０００２】
従来、携帯電話機、ＰＨＳ（Ｐｅｒｓｏｎａｌ  Ｈａｎｄｙ−ｐｈｏｎｅ  Ｓｙｓｔｅｍ）端末、ＰＤＡ（Ｐｅｒｓｏｎａｌ  Ｄｉｇｉｔａｌ  Ａｓｓｉｓｔａｎｔｓ）、デジタルカメラ等の携行可能な携帯電子機器において、諸機能の設定を簡便に行うために様々なスライドスイッチ機構が用いられている。例えば、下記特許文献１には、撮像処理を行う撮影モードと、メモリーカードの記録画像をＬＣＤ（Ｌｉｑｕｉｄ  Ｃｒｙｓｔａｌ  ｄｉｓｐｌａｙ）パネルに再生表示する再生モードとを切り替えるためにスライドスイッチ機構を採用したデジタルカメラが開示されている。
【０００３】
また、スライドスイッチ機構の慣用技術として、外部に露出するスライド可能な被操作部の近傍に切り換える設定の内容を示す複数の異なるマーク部を配置して、一つのマーク部の配置方向に被操作部をスライドさせるとそのマーク部の示す内容が設定されるものがある。このようなスライドスイッチは、被操作部がいずれのマーク部の近傍に位置しているかを識別できれば、スライドスイッチ機構に係る機能について現在の設定状態を把握することができる。
【特許文献１】特開２００５−２６０７９２号公報
【発明の開示】
【発明が解決しようとする課題】
【０００４】
しかしながら、上記のようなスライドスイッチ機構は、携帯電子機器の小型化に伴い小さいものとなっているので、スライドスイッチ機構を一見して機能設定状況を把握することが困難であるという問題があった。これに起因して、ユーザは、ユーザ所望の機能を設定していない状態で携帯電子機器を動作させたり、スライドスイッチ機構を近接視認して被操作部の位置を識別したりしなければならず、使用感が損なわれるという問題があった。
【０００５】
本発明は、上述した事情に鑑みてなされたものであり、スライドスイッチ機構の設定状態を明確に把握することができ、使用感を損なうことがない携帯電子機器を提供することを目的とするものである。
【課題を解決するための手段】
【０００６】
本発明は、上記課題を解決するために以下の手段を採用する。
【０００７】
すなわち、本発明は、形態電子機器に係る第一の解決手段として、筐体と、該筐体に収容された基板部と、基部と該基部にスライド自在に支持された被操作部と前記基板部に接続されたスライドスイッチと該スライドスイッチに係合すると共に前記被操作部に連動してスライドする係合部と前記基部に形成されて前記スライドスイッチが切り換える設定の内容を示す複数の異なるマーク部とを有するスライドスイッチ機構と、を備える携帯電子機器において、前記マーク部の全部又は全部から一つを除いたものを透明又は肉抜きで形成すると共に、前記スライドスイッチ機構は、前記マーク部の全部又は全部から一つを除いたもののうち、前記スライドスイッチの切り換えによって設定された内容を示す前記マーク部の背景の反射色を変化させる、という手段を採用する。
【０００８】
また、携帯電子機器に係る第二の解決手段として、上記第一の解決手段において、前記スライドスイッチ機構が、前記マーク部に隣接するように前記筐体に配置されると共に前記被操作部と連動して前記マーク部の背景の反射色を変化させる配色部を備える、という手段を採用する。
【０００９】
また、携帯電子機器に係る第三の解決手段として、上記第一又は第二の解決手段において、前記スライドスイッチ機構が、前記マーク部の背景の反射色を前記基部の色に対してコントラストの高い色又は前記基部の色と異なる蛍光色に変化させる、という手段を採用する。
【００１０】
また、携帯電子機器に係る第四の解決手段として、上記第一から第三の解決手段のうちいずれかにおいて、前記スライドスイッチ機構が、前記マーク部の背景の反射色を前記基部と同一色又は同系色から異なる色に変化させる、という手段を採用する。
【００１１】
また、携帯電子機器に係る第五の解決手段として、筐体と、該筐体に収容された基板部と、基部と該基部にスライド自在に支持された被操作部と前記基板部に接続されたスライドスイッチと該スライドスイッチに係合すると共に前記被操作部に連動してスライドする係合部と前記基部に形成されて前記スライドスイッチが切り換える設定の内容を示す複数の異なるマーク部とを有するスライドスイッチ機構と、を備える携帯電子機器において、前記基板部は、前記マーク部を前記筐体の内側から照光する照光部と、前記照光部を点灯または消灯させる照光制御部と、を有し、前記マーク部の全部又は全部から一つを除いたものを透明又は肉抜きで形成すると共に、前記スライドスイッチ機構および制御部は、前記マーク部のうち全部または全部から一つを除いたもののうち、前記スライドスイッチの切り換え状態に基づいて、前記照光部を点灯または消灯するように制御して、前記設定された内容を示す前記マーク部の背景の透過色を変化させる、という手段を採用する。
【００１２】
また、携帯電子機器に係る第六の解決手段として、上記第一から第五の解決手段のうちいずれかにおいて、複数の撮影モードを有するカメラユニットを備え、前記スライドスイッチが、前記撮影モードを切り換える、という手段を採用する。
【発明の効果】
【００１３】
本発明によれば、マーク部の全部又は全部から一つを除いたもののうち、スライドスイッチの切り換えによって設定された内容を示すマーク部の背景の反射色を変化させるので、マーク部が示す設定内容の設定時と非設定時とでマーク部の背景の反射色が異なる。これにより、ユーザがマーク部を一見すれば、マーク部の背景の反射色により該マーク部の設定・非設定が直感的に識別されるので、スライドスイッチ機構に係る機能の設定状態を明確に把握することができる。従って、ユーザ所望の機能を設定していない状態で携帯電子機器を動作させたり、スライドスイッチ機構に近接して被操作部の位置を識別したりする必要がなく、使用感が損なわれることがない携帯電子機器を提供することができる。
【発明を実施するための最良の形態】
【００１４】
以下、本発明の実施形態について、図面を参照して説明する。ここで説明する実施形態は、本発明を携帯電話機に適用した場合のものである。
【００１５】
図１は、本実施形態における折畳式の携帯電話機（携帯電子機器）Ａの外観を示す斜視図であり、図２は、略折り畳み状態における携帯電話機Ａの背面図である。携帯電話機Ａは、複数のモードで撮影が可能なカメラ機能を搭載するものであり、筐体１と、基板部１０と、カメラユニット２０と、スライドスイッチ機構３０とを備えている。
【００１６】
図１及び図２に示すように、筐体１は、操作側筐体２と、この操作側筐体２の厚さ方向に重ね合わせ可能な表示側筐体３とを備えている。これら操作側筐体２と表示側筐体３とは、操作側筐体２の一端部２ａと表示側筐体３の一端部３ａとがヒンジ部４によって連結され、互いの他端部が近接／離間するように相対的に回動するようになっている。これにより、携帯電話機Ａは、操作側筐体２と表示側筐体３とを厚さ方向に重ね合わせた状態に折り畳み可能となっている。なお、筐体１は、硬質プラスティック製のものであり、白色である。
【００１７】
図３は、操作側筐体２及びその内部構成を示す図であって、図３（ａ）は、操作側筐体２の長手方向に沿った概略縦断面図であり、図３（ｂ）は、一端部２ａ側の一部を示す分解斜視図である。
【００１８】
図３に示すように、操作側筐体２は、第一筐体５と第二筐体６とを備えており、厚さ方向に分離可能な構造となっている。
【００１９】
第一筐体５は、一面が開放された略箱型形状のものであって、略矩形で平板形状の主壁５ａの周縁から直交方向に突出するように側壁５ｂが成型されたものである。主壁５ａには操作ボタン７（図１参照）が露出する多数の孔が成型されており、また、一端部２ａ側の側壁５ｂ（以下、背壁５ｃとする）には略矩形の第一切欠部５ｄが成型されると共にこの第一切欠部５ｄを挟むようにして二つのマーク部５ｅ（５ｅ１，５ｅ２）が形成されている。
【００２０】
マーク部５ｅ（５ｅ１，５ｅ２）は、携帯電話機Ａが有するカメラ機能における撮影モードの設定内容を示すものである。携帯電話機Ａは、撮影モードとしてポートレートモードとマクロモードとを有しており、ポートレートモードを示すマーク部５ｅ１が人物をデザイン化した記号となっており、マクロモードを示すマーク部５ｅ２が花をデザイン化した記号となっている。マーク部５ｅ１は、上記の記号をかたどるように肉抜きされて形成されており、マーク部５ｅ２は、上記の記号をかたどるように溝加工により形成されている。なお、ポートレートモードとは、標準モードともいう。
【００２１】
第二筐体６は、第一筐体５と同様に一面が開放された略箱型形状のものであって、主壁５ａと略同大同形の主壁６ａの周縁から直交方向に突出するように側壁６ｂが成型されたものである。側壁６ｂは、主壁６ａ側の側壁６ｂ１と開放側の側壁６ｂ２とで厚さが異なるように成型されており、側壁６ｂ２が側壁６ｂ１よりも側壁５ｂの厚さだけ薄くなるように内方側に成型されている。そして、これら側壁６ｂ１と側壁６ｂ２との境界には、主壁６ａと平行となる受け面６ｄが成型されている。
【００２２】
一端部２ａ側の側壁６ｂ（以下、背壁６ｃとする）における側壁６ｂ２には、第二筐体６の短手方向の略中央に略矩形の第二切欠部６ｅが、この第二切欠部６ｅから長さＬ１ほど離れた近傍の位置から略矩形の第三切欠部６ｆが成型されている。
【００２３】
このような構成により、第一筐体５と第二筐体６とは、側壁５ｂと側壁６ｂとが嵌合すると共に側壁５ｂの端面と受け面６ｄとを当接させた状態で固定されて内部空間Ｓを形成している。この状態においては、側壁５ｂ及び側壁６ｂの厚さ方向において、側壁５ｂの一部と側壁６ｂ２とが重なるようになっており、第一切欠部５ｄの一部と第二切欠部６ｅとが、マーク部５ｅ１と第三切欠部６ｆとがそれぞれ重なるようになっている。
【００２４】
基板部１０は、ガラスエポキシ製の主基板１１に送信部や受信部を構成するトランジスタやコンデンサ等の各種素子や、通信機能を制御するＣＰＵ等の各種電子部品が実装されて構成されている。さらに、この主基板１１の背壁５ｃ及び背壁６ｃ側にはスライドスイッチ１２が実装されている。このスライドスイッチ１２は、１回路２接点のものであり、レバー１２ａを操作側筐体２の短手方向に長さＬ２だけスライドさせると上述した撮影モードが切り換わるようになっている。
【００２５】
カメラユニット２０は、図３（ａ）に示すように、第二筐体６の主壁６ａに設けられており、基板部１０と接続されている。カメラユニット２０は、基板部１０のＣＰＵによって制御されて、撮影した被写体の画像データを基板部１０に出力する。
【００２６】
スライドスイッチ機構３０は、基部３１と、スライドスイッチ１２と、マーク部５ｅと、被操作部３２と、配色部３３と、係合部３４と、を備えている。
【００２７】
基部３１は、筐体１の一部をも構成する背壁５ｃと背壁６ｃとで構成されている。また、既に説明した通り、スライドスイッチ１２は基板部１０を、マーク部５ｅは操作側筐体２をもそれぞれ構成している。なお、スライドスイッチ１２は、レバー１２ａがマーク部５ｅ１側に位置している場合には、ポートレートモードが設定されるようになっており、レバー１２ａがマーク部５ｅ２側に位置している場合には、マクロモードが設定されるようになっている。
【００２８】
被操作部３２と配色部３３と係合部３４とは、連結部３５とアーム部３６とを介して一体的に成型されて、筐体１の短手方向に長さＬ２だけスライド自在なスライド部材３７を形作っている。このスライド部材３７は、筐体１の同一色の白色で成型されたものであって、一部が黒色で塗装されている。
【００２９】
被操作部３２は、操作側筐体２の短手方向における第一切欠部５ｄの長さよりも長さＬ２だけ短い長辺と、操作側筐体２の厚さ方向における第一切欠部５ｄの長さと略同一の長さの短辺とからなる矩形板状のものである。
【００３０】
連結部３５は、被操作部３２の長手方向の略中央となる位置から被操作部３２の厚さ方向（背壁５ｃ，６ｃの厚さ方向）に突出するように成型されており、側壁６ｂ２の厚さと略同一の長さを有している。
【００３１】
配色部３３は、マーク部５ｅ１，５ｅ２間の長さよりも大きい長辺と被操作部３２と略同一の長さの短辺とからなる矩形板状のものである。この配色部３３は、その長手方向の略中央で連結部３５により被操作部３２と平行となるように一体的に成型されている。
【００３２】
この配色部３３は、スライド部材３７の他の部位と同様の白色と、白色に対してコントラストの高い黒色とが配色されている。具体的には、配色部３３の被操作部３２側の面において、連結部３５から長さＬ１だけ離れた位置から第三切欠部６ｆと略同大の面積を有するように黒色の塗装部３３ａが設けられている。
【００３３】
アーム部３６は、連結部３５が延設されたように配色部３３の略中央から突出して成型されている。
【００３４】
係合部３４は、アーム部３６の先端側に成型された略Ｕ字形状のものであり、挟み込むようにしてレバー１２ａと係合している。
【００３５】
このような構成により、スライド部材３７は、被操作部３２が外部に露出するように、また、配色部３３が筐体１の内方に配置されるように、被操作部３２と配色部３３とが側壁６ｂ２を挟み込むように取り付けられている。このため、被操作部３２は、第一切欠部５ｄ及び受け面６ｄに沿って、筐体１の短手方向に長さＬ２だけスライド可能となっており、被操作部３２のスライドに連動して係合部３４及びレバー１２ａがスライドして、撮影モードの切り換え設定がされるようになっている。
【００３６】
次に、上記のような構成を備える携帯電話機Ａの作用について、図４を用いて説明する。なお、図４は、スライドスイッチ機構３０の動作を示す図であって、図２におけるＡ−Ａ線断面図である。
【００３７】
以下の説明では、マクロモードからポートレートモードに設定が切り換えられる場合について説明する。
【００３８】
図４（ａ）に示すように、撮影モードがマクロモードの場合には、被操作部３２がマーク部５ｅ２の方向に位置している。このとき、配色部３３の塗装部３３ａが側壁６ｂ２に重なるように位置しており、配色部３３の塗装部３３ａ以外の部位が第三切欠部６ｆ及びマーク部５ｅ１に重なるように位置している。すなわち、マーク部５ｅ１の背景の反射色は、筐体１と同色の白色となっている。
【００３９】
被操作部３２がマーク部５ｅ１からマーク部５ｅ２の方向にスライドすると連結部３５、配色部３３及びアーム部３６を介して係合部３４が連動してスライドする。これに従ってレバー１２ａがスライドし、撮影モードがマクロモードからポートレートモードに切り換えられる。
【００４０】
撮影モードがポートレートモードに切り換えられると配色部３３の塗装部３３ａが側壁６ｂ２と重なる位置から第三切欠部６ｆ及びマーク部５ｅ１と重なる位置まで移動する。すなわち、マーク部５ｅ１の背景の反射色は、筐体１とコントラストの高い黒色に変化する。
【００４１】
このように、携帯電話機Ａによれば、スライドスイッチ１２の切り換えによって設定されたポートレートモードを示すマーク部５ｅ１の背景の反射色を黒色と白色とに変化させるので、マーク部５ｅ１が示すポートレートモードの設定時と非設定時とでマーク部５ｅ１の背景の反射色が異なる。これにより、ユーザがマーク部５ｅ１を一見すれば、マーク部５ｅ１の背景の反射色により該マーク部５ｅ１が示すポートレートモードの設定・非設定が直感的に識別される。また、マクロモードが非設定の場合にはマクロモードが設定されており、ポートレートモードが設定されている場合にはマクロモードが非設定となるので、ポートレートモードの設定・非設定が識別されれば、マクロモードの設定・非設定が消極的に識別される。これにより、スライドスイッチ機構３０に係る撮影モードの設定状態を明確に把握することができる。
【００４２】
従って、ユーザ所望の撮影モードを設定していない状態で携帯電話機Ａを動作させたり、スライドスイッチ機構３０に近接して被操作部３２の位置を識別したりする必要がなく、使用感が損なわれることがない携帯電話機Ａを提供することができる。
【００４３】
また、スライドスイッチ機構３０が配色部３３の塗装部３３ａをスライドさせて、マーク部５ｅ１の背景の反射色を筐体１の白色に対してコントラストの高い黒色に変化させるので、筐体１の反射色とマーク部５ｅ２の背景の反射色と差異が大きいものとなる。これにより、撮影モードの設定状態をさらに直感的に識別することができると共に撮影モードの設定状態を明確に把握することができる。
【００４４】
また、配色部３３が筐体１と同一色の白色で成型されているので、塗装部３３ａの黒色とコントラストが高くなると共に、意匠的効果を損なわない。
【００４５】
なお、本発明は上記実施形態に限定されるものではなく、例えば以下の変形例が考えられる。
（１）上記実施形態では、マーク部５ｅ２の反射色を変化しないように構成したが、マーク部５ｅ２の背景の反射色を変化させるように構成してもよい。すなわち、図５（ａ）に示すように、マーク部５ｅ２を肉抜きで形成すると共に側壁６ｂ２に第二切欠部６ｅから距離Ｌ１だけ離れた位置であって、マーク部５ｅ１と重なる位置に第四切欠部６ｇを形成する。また、配色部３３の連結部３５から距離Ｌ１だけ離れた位置からマーク部５ｅ２と略同大の面積を有する黒色の塗装部３３ｂを形成する。
【００４６】
このような構成によれば、マクロモードを示すマーク部５ｅ１だけでなく、マーク部５ｅ２の背景の反射色を黒色と白色とに変化させるので、二つの撮影モードのうち設定されている撮影モードを示すマーク部５ｅの背景色が黒色となり、設定されていない撮影モードを示すマーク部５ｅの背景色が白色となる。これにより、ポートレートモードの設定状態をマクロモードの設定・非設定から消極的に識別しなくてもよく、設定されている撮影モードが直感的かつ直接的に識別される。すなわち、スライドスイッチ機構３０に係る撮影モードの設定状態をさらに明確に把握することができる。
（２）また、上記実施形態では、二つの撮影モードに対応してマーク部５ｅを二つ設けたが、三つ以上の撮影モードに対応してこれと同数のマーク部５ｅを形成してもよい。例えば、図５（ｂ）に示すように、三つの撮影モードに対応して、長さＬ３だけスライドさせると各撮影モードが切り換わるように１回路３接点のスライドスイッチ１３を主基板１１に設けられたものについて、以下のような構成が考えられる。
【００４７】
すなわち、マーク部５ｅ２を設けずに、マーク部５ｅ１に連接するように長さＬ３の２倍の距離ごとにマーク部５ｅ３，５ｅ４を肉抜きで形成すると共に、これらに重なる側壁６ｂ２の各位置に第五切欠部６ｈ，第六切欠部６ｉを成型する。そして、配色部３３に塗装部３３ａから距離Ｌ３ごとに塗装部３３ｃ、３３ｄを設ければ、マーク部５ｅ１，５ｅ３，５ｅ４のうちいずれか一つの背景の反射色を変化させることができる。
（３）また、上記実施形態では、マーク部５ｅ１を肉抜きで形成したが、透明に構成してもよい。例えば、基部３１を透明に形成して、マーク部５ｅ１のみに塗装をしないようにすれば、マーク部５ｅ１を透明にすることができる。
【００４８】
また、上記実施形態では、基部３１を筐体１の一部により構成したが、筐体１と別体のものから基部３１を構成して、筐体１に取り付ける構成にしてもよい。
（４）また、上記実施形態では、配色部３３に基部３１（筐体１）の白色とコントラストの高い黒色を塗装部３３ａとして設けたが、これはコントラストの高い反射色によって識別性を向上させたためであり、他の反射色であってもよい。なお、蛍光色を用いても識別性を向上させることができる。
（５）また、上記実施形態では、スライド部材３７を白色に成型して配色部３３を白色に構成したが、これは基部３１と同色とすることにより意匠的効果を高めたものであり、必ずしも同色にする必要はない。なお、配色部３３を基部３１と同系色に構成しても意匠的効果を高めることができる。
【００４９】
図６は、本発明の実施形態において、操作側筐体２及びその内部構成の変形例を示す図である。すなわち、図６は、操作側筐体２及びその内部構成を示す図であって、図６（ａ）は、操作側筐体２の長手方向に沿った概略縦断面図であり、図６（ｂ）は、一端部２ａ側の一部を示す分解斜視図である。
【００５０】
図６に示すように、操作側筐体２は、第一筐体５と第二筐体６とを備えており、厚さ方向に分離可能な構造となっている。
【００５１】
第一筐体５は、一面が開放された略箱型形状のものであって、略矩形で平板形状の主壁５ａの周縁から直交方向に突出するように側壁５ｂが成型されたものである。主壁５ａには操作ボタン７（図１参照）が露出する多数の孔が成型されており、また、一端部２ａ側の側壁５ｂ（以下、背壁５ｃとする）には略矩形の第一切欠部５ｄが成型されると共にこの第一切欠部５ｄを挟むようにして二つのマーク部５ｅ（５ｅ１，５ｅ２）が形成されている。
【００５２】
マーク部５ｅ（５ｅ１，５ｅ２）は、携帯電話機Ａが有するカメラ機能における撮影モードの設定内容を示すものである。携帯電話機Ａは、撮影モードとしてポートレートモードとマクロモードとを有しており、ポートレートモードを示すマーク部５ｅ１が人物をデザイン化した記号となっており、マクロモードを示すマーク部５ｅ２が花をデザイン化した記号となっている。マーク部５ｅ１は、上記の記号をかたどるように肉抜きされて形成されており、マーク部５ｅ２は、上記の記号をかたどるように溝加工により形成されている。なお、ポートレートモードとは、標準モードともいう。
【００５３】
第二筐体６は、第一筐体５と同様に一面が開放された略箱型形状のものであって、主壁５ａと略同大同形の主壁６ａの周縁から直交方向に突出するように側壁６ｂが成型されたものである。側壁６ｂは、主壁６ａ側の側壁６ｂ１と開放側の側壁６ｂ２とで厚さが異なるように成型されており、側壁６ｂ２が側壁６ｂ１よりも側壁５ｂの厚さだけ薄くなるように内方側に成型されている。そして、これら側壁６ｂ１と側壁６ｂ２との境界には、主壁６ａと平行となる受け面６ｄが成型されている。
【００５４】
一端部２ａ側の側壁６ｂ（以下、背壁６ｃとする）における側壁６ｂ２には、第二筐体６の短手方向の略中央に略矩形の第二切欠部６ｅが、この第二切欠部６ｅから長さＬ１ほど離れた近傍の位置から略矩形の第三切欠部６ｆが成型されている。
【００５５】
このような構成により、第一筐体５と第二筐体６とは、側壁５ｂと側壁６ｂとが嵌合すると共に側壁５ｂの端面と受け面６ｄとを当接させた状態で固定されて内部空間Ｓを形成している。この状態においては、側壁５ｂ及び側壁６ｂの厚さ方向において、側壁５ｂの一部と側壁６ｂ２とが重なるようになっており、第一切欠部５ｄの一部と第二切欠部６ｅとが、マーク部５ｅ１と第三切欠部６ｆとがそれぞれ重なるようになっている。
【００５６】
基板部１０は、ガラスエポキシ製の主基板１１に送信部や受信部を構成するトランジスタやコンデンサ等の各種素子や、通信機能を制御するＣＰＵ等の各種電子部品が実装されて構成されている。さらに、この主基板１１の背壁５ｃ及び背壁６ｃ側にはスライドスイッチ１２、照光部４０および制御部４１が実装されている。照光部４０は側面発光式のＬＥＤが好ましい。また、制御部４１は、スライドスイッチ１２の位置を検出して、この検出に基づいてＬＥＤ４０の発光の制御を行う。定常状態では、ＬＥＤ４０は消灯しており、スライドスイッチ１２をスライドした時に点灯する。そして所定の間点灯を継続する。ユーザはこの間にスライドスイッチの位置が所望の撮影モードを示す位置になっている否かを確認することが可能となる。所望の位置になっている場合は、スライドスイッチ１２の操作を止め、所望の位置になっている場合は、所望の撮影モードを示す位置にスライドさせることができる。特に周囲が暗い場合に効果を奏する。このスライドスイッチ１２は、１回路２接点のものであり、レバー１２ａを操作側筐体２の短手方向に長さＬ２だけスライドさせると上述した撮影モードが切り換わるようになっている。
【００５７】
カメラユニット２０は、図６（ａ）に示すように、第二筐体６の主壁６ａに設けられており、基板部１０と接続されている。カメラユニット２０は、基板部１０のＣＰＵによって制御されて、撮影した被写体の画像データを基板部１０に出力する。
【００５８】
スライドスイッチ機構３０は、基部３１と、スライドスイッチ１２と、マーク部５ｅと、被操作部３２と、光透過性の配色部４４と、係合部３４と、を備えている。
【００５９】
基部３１は、筐体１の一部をも構成する背壁５ｃと背壁６ｃとで構成されている。また、既に説明した通り、スライドスイッチ１２は基板部１０を、マーク部５ｅは操作側筐体２をもそれぞれ構成している。なお、スライドスイッチ１２は、レバー１２ａがマーク部５ｅ１側に位置している場合には、ポートレートモードが設定されるようになっており、レバー１２ａがマーク部５ｅ２側に位置している場合には、マクロモードが設定されるようになっている。
【００６０】
被操作部３２と光透過性の配色部４４と係合部３４とは、連結部３５とアーム部３６とを介して一体的に成型されて、筐体１の短手方向に長さＬ２だけスライド自在なスライド部材３７を形作っている。このスライド部材３７は、筐体１の同一色の白色で成型されたものであって、一部が光透過性の塗料で塗装されている。
【００６１】
被操作部３２は、操作側筐体２の短手方向における第一切欠部５ｄの長さよりも長さＬ２だけ短い長辺と、操作側筐体２の厚さ方向における第一切欠部５ｄの長さと略同一の長さの短辺とからなる矩形板状のものである。
【００６２】
連結部３５は、被操作部３２の長手方向の略中央となる位置から被操作部３２の厚さ方向（背壁５ｃ，６ｃの厚さ方向）に突出するように成型されており、側壁６ｂ２の厚さと略同一の長さを有している。
【００６３】
光透過性の配色部４４は、マーク部５ｅ１，５ｅ２間の長さよりも大きい長辺と被操作部３２と略同一の長さの短辺とからなる矩形板状のものである。この配色部３３は、その長手方向の略中央で連結部３５により被操作部３２と平行となるように一体的に成型されている。
【００６４】
この光透過性の配色部４４は、スライド部材３７の他の部位と同様の白色と、白色に対してコントラストの高い赤色や青色が配色されている。具体的には、配色部３３の被操作部３２側の面において、連結部３５から長さＬ１だけ離れた位置から第三切欠部６ｆと略同大の面積を有するように光透過性の塗装部４４が設けられている。
【００６５】
アーム部３６は、連結部３５が延設されたように配色部３３の略中央から突出して成型されている。
【００６６】
係合部３４は、アーム部３６の先端側に成型された略Ｕ字形状のものであり、挟み込むようにしてレバー１２ａと係合している。
【００６７】
このような構成により、スライド部材３７は、被操作部３２が外部に露出するように、また、配色部３３が筐体１の内方に配置されるように、被操作部３２と配色部３３とが側壁６ｂ２を挟み込むように取り付けられている。このため、被操作部３２は、第一切欠部５ｄ及び受け面６ｄに沿って、筐体１の短手方向に長さＬ２だけスライド可能となっており、被操作部３２のスライドに連動して係合部３４及びレバー１２ａがスライドして、撮影モードの切り換え設定がされるようになっている。
【００６８】
また、上記実施形態では、折畳式の携帯電話機Ａに本発明を適用したが、他の形式（例えば、ストレート型、スライド式）の携帯端末、ＰＨＳ端末、ＰＤＡ、デジタルカメラ等に本発明を適用してもよい。
【００６９】
また、上記実施形態では、カメラ機能の撮影モードの切り換え設定に本発明を適用したが、他の機能の設定に適用してもよい。例えば、マナーモードの切り換えに適用してもよいし、誤動作防止のロック機能に適用してもよい。
【図面の簡単な説明】
【００７０】
【図１】本発明の一実施形態において、携帯電話機Ａ（携帯電子機器）の外観を示す斜視図である。
【図２】本発明の一実施形態において、折り畳み状態における携帯電話機Ａの背面図である。
【図３】本発明の一実施形態において、操作側筐体２及びその内部構成を示す図である。
【図４】本発明の一実施形態において、スライドスイッチ機構３０の動作を示す図であって、図２におけるＡ−Ａ線断面図である。
【図５】本発明の一実施形態において、スライドスイッチ機構３０の変形例を示す図である。
【図６】本発明の一実施形態において、操作側筐体２及びその内部構成の変形例を示す図である。
【符号の説明】
【００７１】
１…筐体
５ｃ…背壁（基部）
５ｄ…第一切欠部
５ｅ（５ｅ１〜５ｅ４）…マーク部
６ｃ…背壁（基部）
６ｄ…受け面
６ｅ…第二切欠部
６ｆ…第三切欠部
６ｇ…第四切欠部
６ｈ…第五切欠部
６ｉ…第六切欠部
１０…基板部
１１…主基板
１２，１３…スライドスイッチ
１２ａ…レバー
２０…カメラユニット
３０…スライドスイッチ機構
３１…基部
３２…被操作部
３３…配色部
３３ａ〜３３ｄ…塗装部
３４…係合部
３５…連結部
３６…アーム部
３７…スライド部材
４０…照光部（ＬＥＤ）
４１…制御部（ＣＰＵ）
４４…光透過性の配色部（光透過性の塗装部）
Ａ…携帯電話機（携帯電子機器）
【図１】
2009176713.tif 000003
【図２】
2009176713.tif 000004
【図３】
2009176713.tif 000005
【図４】
2009176713.tif 000006
【図５】
2009176713.tif 000007
【図６】
2009176713.tif 000008